(57)【要約】【課題】簡単な構成で部品間の配線を簡略化し、プルスイッチ操作性を改善する。【解決手段】プルスイッチ部２４は、ベース体２１又はカバー体２２に形成されて回路網の端部が配置されたほぼリング状の鋸歯状部２９と、一定の角度範囲でバネ力に抗して回転し復帰する操作レバー３４と、操作レバー３４に対してベース体２１及びカバー体２２にほぼ平行な方向にプル力を作用させて操作レバー３４に回転力を付与する引紐と、引紐による操作レバー３４の回転・復帰に基づいて鋸歯状部２９に対してほぼ平行に一定方向にのみ節動・回転する回転接触子３６とを有する。そして、操作レバー３４は、バネ力によって回転接触子３６を鋸歯状部２９に対して付勢し、ベース体２１及びカバー体２２にほぼ平行な面内において回転・復帰するように配置されている。【選択図】図１２
2007335415.tif 000002
【特許請求の範囲】
【請求項１】
絶縁部材よりなるベース体及びカバー体のいずれかにプルスイッチ部、グロースタータ用のグローソケット部、豆球ソケット部が形成されると共に、各部の間が金属板の打抜加工による回路網にて配線され、かつ該回路網の主要部分が前記ベース体及び前記カバー体にて挟持された配線ブロックであって、
前記プルスイッチ部は、前記ベース体又は前記カバー体に形成されて前記回路網の端部が配置されたほぼリング状の鋸歯状部と、一定の角度範囲でバネ力に抗して回転し復帰する操作レバーと、該操作レバーに対して前記ベース体及び前記カバー体にほぼ平行な方向にプル力を作用させて該操作レバーに回転力を付与する引紐と、該引紐による前記操作レバーの回転・復帰に基づいて前記鋸歯状部に対してほぼ平行に一定方向にのみ節動・回転する回転接触子とを有し、
前記操作レバーは、前記バネ力によって前記回転接触子を前記鋸歯状部に対して付勢し、前記ベース体及び前記カバー体にほぼ平行な面内において回転・復帰するように配置されたことを特徴とする照明器具の配線ブロック。
【請求項２】
絞り加工によるテーパ部に孔を有する器具本体と、絶縁部材よりなるベース体及びカバー体のいずれかにプルスイッチ部、グロースタータ用のグローソケット部、豆球ソケット部が形成されると共に、各部の間が金属板の打抜加工による回路網にて配線され、かつ該回路網の主要部分が前記ベース体及び前記カバー体にて挟持された配線ブロックとを備え、
前記配線ブロックの前記プルスイッチ部は、前記ベース体又は前記カバー体に形成されて前記回路網の端部が配置されたほぼリング状の鋸歯状部と、該鋸歯状部にほぼ平行に配置され一定の角度範囲でバネ力に抗して回転し復帰する操作レバーと、該操作レバーに対して前記ベース体及び前記カバー体にほぼ平行な方向にプル力を作用させて該操作レバーに回転力を付与する引紐と、該引紐による前記操作レバーの回転・復帰に基づいて前記鋸歯状部に対してほぼ平行に一定方向にのみ節動・回転する回転接触子とを有し、
前記操作レバーは、前記バネ力によって前記回転接触子を前記鋸歯状部に対して付勢し、前記ベース体及び前記カバー体にほぼ平行な面内において回転・復帰するように配置され、
前記器具本体には、前記配線ブロックが前記テーパ部に沿って配置されると共に、前記プルスイッチ部の前記引紐が、前記テーパ部の前記孔から天井面側に導出され、かつ周縁部から垂下されたことを特徴とする照明器具。
【発明の詳細な説明】
【技術分野】
【０００１】
本発明は照明器具の配線ブロック及び照明器具に関し、特に、器具本体を天井面に固定すると共に、器具本体の天井面側を経由して周縁部から垂下される引紐によってスイッチの切換操作を行う直付形照明器具において、スイッチの操作性を向上できる配線ブロック構造の改良に関する。
【背景技術】
【０００２】
本出願人は、先に、図１７〜図２２に示す直付形照明器具を提案した。同図において、１は、例えば天井面Ｓに固定された円形状の器具本体であって、それの周縁部分には下側に向けてほぼＬ形に折り曲げた屈曲部１ａが、周縁部を除く適宜の部分には絞り加工によるテーパ部１ｂが、テーパ部１ｂの適宜の部分に孔１ｃがそれぞれ形成されている。この器具本体１の非天井面側には、テーパ部１ｂに沿った内側部分にプルスイッチＰＳ，ソケットブロックＳＢ，第１の安定器ＢＬ１，第２の安定器ＢＬ２が離隔して配置されており、特に、プルスイッチＰＳは孔１ｃに対向して配置され、それの金属線よりなる引紐ＰＳａが孔１ｃから天井面側に導出されている。又、ソケットブロックＳＢは、後述する第１，第２の環形蛍光ランプに適用されるグロースタータ用のグローソケットＳＢ１，ＳＢ２と、豆球ソケットＳＢ３とを一体化して構成されており、プルスイッチＰＳの近傍に配置されている。
【０００３】
又、プルスイッチＰＳに隣接する器具本体１の周縁部分には天井面側に向けてほぼ半筒状に押し出し加工された一対の第１の係止部２，２が、開口部が対向するように形成されており、この第１の係止部２，２の外側部分にはほぼＬ形に切り起こした一対の第２の係止部３，３が形成されており、これらの係止部２，３を利用してほぼＶ字状のバネ４が支持されている。このバネ４は、例えばＶ字状の本体部の一端（自由端側）に外方に向けてＬ形に屈曲した係止脚部４ａ，４ａを形成すると共に、他端にリング部４ｂを形成して構成されている。このバネ４の係止脚部４ａ，４ａは第１の係止部２，２に挿入すると共に、第１の係止部２，２に近い本体部分を第２の係止部３，３に挿入・係止して支持されている。そして、プルスイッチＰＳの引紐ＰＳａの先端にはナイロンなどの引紐５が固定され、器具本体１の天井面側を経由してバネ４のリング部４ｂを介して垂下されている。
【０００４】
さらには、器具本体１の屈曲部１ａに隣接する周縁部分には後述するグローブの簡易脱着手段６，６が配置されている。この簡易脱着手段６は、例えば所定の間隔に配置され、かつ外側部分にテーパ部７ａ，７ａを有する一対のグローブ固定爪７，７と、グローブ固定爪７，７を連結するベース板８と、このベース板８から直角方向に延びるロッド９と、器具本体１の周縁部分にほぼ１８０°の間隔で固定されたケース１０と、ケース１０の内部にロッド９と共に、グローブ固定爪７が器具本体１の径方向の外側に向けて付勢されるように配置されたバネ１１とから構成されている。このグローブの簡易脱着手段６，６の中間部分における器具本体部分にはガイド板１２，１２が配置されている。さらに、器具本体１の中央部分には環径の異なる第１，第２の環形蛍光ランプ１３ａ，１３ｂが配置されている。そして、器具本体１には簡易脱着手段６及びガイド板１２を利用して透光性を有するグローブ１４が装着されている。このグローブ１４は、例えば器具本体１及び環形蛍光ランプ１３ａ，１３ｂが被覆される形状に形成されており、その上端には立上がり部１５が形成されている。特に、立上がり部１５の対向する部分には内側に突出する彎曲部１６，１６が一体的に形成されている。
【０００５】
このように構成された照明器具において、グローブ１４は器具本体１に次のようにして取り付けられる。まず、図２３（ａ）に示すように、グローブ１４の彎曲部１６が簡易脱着手段６に対応しないように位置させた後に、グローブ１４を、それの立上がり部１５がグローブ固定爪７のテーパ部７ａに押し当てられるようにして図示矢印（右側）のように持ち上げると、グローブ固定爪７はバネ１１に抗して図示矢印（左側）の方向に後退する。そして、立上がり部１５がテーパ部７ａを通過すると、同図（ｂ）に示すように、グローブ固定爪７はバネ１１によって前進し、その結果、グローブ固定爪７の上面にはグローブ１４の係止部１４ａが載置される。これによって、グローブ１４の器具本体１への取り付けが終了する。尚、グローブ１４の器具本体１からの取り外しは、グローブ１４を回転させながら彎曲部１６をグローブ固定爪７，７の間に強制的に位置させると、ベース板８が彎曲部１６によって押されて後退する結果、グローブ１４の係止部１４ａがグローブ固定爪７からの係止が開放され、取り外すことができる。
【特許文献１】特公昭６３−２４２８３号公報
【特許文献２】実公昭６２−２２９６４号公報
【特許文献３】実公昭６３−４０８１８号公報
【発明の開示】
【発明が解決しようとする課題】
【０００６】
ところで、この照明器具は、その器具本体１に配置された各種部品間がリード線によって図２１に示すように接続されている。特に、プルスイッチＰＳは鋸歯状に構成された接点部ａ〜ｈに一対の回転接触子ＴＰが接触するように構成されており、接点部ａ，ｃ，ｅ，ｆにのみ導電性の接点が配置されて電気的な接続が可能となっている。このプルスイッチＰＳの回転接触子ＴＰには商用電源ＡＣの一方が、接点部ａには第１の安定器ＢＬ１の電源端子が、接点部ｃには豆球ソケットＳＢ３の一方の端子が、接点部ｅ，ｆには第２の安定器ＢＬ２の一方の端子がそれぞれ接続されている。
【０００７】
この状態において、バネ４を介して垂下された引紐５を下方に引っ張ることによって、プルスイッチＰＳの回転接触子ＴＰが接点部ａ〜ｈに適宜に接触しながら一定の方向に節動・回転し、環形蛍光ランプ１３ａ，１３ｂ及び豆球（ＳＢ３）が適宜に点灯ないし消灯される。例えば回転接触子ＴＰが接点部ａ及びｅに接触すると、第１，第２の環形蛍光ランプ１３ａ，１３ｂが同時に点灯される。次に、回転接触子ＴＰが１ピッチだけ節動・回転すると、回転接触子ＴＰは接点部ｂ及びｆに接触し、第１の環形蛍光ランプ１３ａが消灯し第２の環形蛍光ランプ１３ｂのみが点灯維持される。次いで、１ピッチだけ節動・回転すると、回転接触子ＴＰは接点部ｃ及びｇに接触し、第２の環形蛍光ランプ１３ｂが消灯し豆球（ＳＢ３）が点灯される。さらに、１ピッチだけ節動・回転すると、回転接触子ＴＰは接点部ｄ及びｈに接触するものの、導電性接点が配置されていないために、豆球（ＳＢ３）も消灯し全灯が消灯状態に切り替えられる。従って、引紐５の引紐操作によって環形蛍光ランプ１３ａ，１３ｂ及び豆球の点灯ないし消灯を自在に切り替えることができるという特徴を有している。
【０００８】
しかしながら、この照明器具では、器具本体１にプルスイッチＰＳ，ソケットブロックＳＢ，第１の安定器ＢＬ１，第２の安定器ＢＬ２などが分散して配置されているために、それぞれの部品間をリード線によって接続しなければならず、従って、手作業による作業工程が増加して作業性が損なわれるのみならず、誤配線が発生し易くなるという問題がある。
【０００９】
このような問題を解決するために、例えば特許文献１，２，３などにはプルスイッチと複数の環形蛍光ランプに適用されるグロースタータ用のグローソケットと豆球ソケットとをベース体及びカバー体に一体化すると共に、ベース体とカバー体との間に金属板を打抜加工してなる回路網を挟持させることによってそれぞれの部品間を電気的に接続した配線ブロックが開示されており、作業性の改善及び誤配線の防止が期待できるものである。この配線ブロックにおけるプルスイッチ部は、例えば図２４に示すように構成されている。
【００１０】
同図において、配線ブロック１７におけるプルスイッチ部１８は、例えばベース体１７ａに直角方向に一体形成された筒状のケーシング部１８ａと、ケーシング部１８ａに配置され、腕部分に傾斜状の折曲片１８ｂａ，１８ｂａを有するＴ字状の操作レバー１８ｂと、コイル状のバネ１８ｃと、折曲片１８ｂａ，１８ｂａによって押されることにより回転を生じさせる一対の鋸歯状部を有する回転子１８ｄと、回転子１８ｄの回転に伴って節動・回転する回転接触子１８ｅと、コイル状のバネ１８ｆと、カバー体１７ｂに形成されたリング状の鋸歯状部１８ｇとから構成されている。尚、操作レバー１８ｂの下端には孔が形成されており、この孔に引紐が固定される。
【００１１】
ところで、このプルスイッチ部１８は、例えば次のように作動する。まず、引紐操作によって操作レバー１８ｂをベース体１７ａ及びカバー体１７ｂに対して直角方向に引っ張ると、回転子１８ｄの一対の鋸歯状部は操作レバー１８ｂの折曲片１８ｂａ，１８ｂａによって強く押され、これによって回転子１８ｄには回転が付与される。回転子１８ｄの回転に伴って回転接触子１８ｅが鋸歯状部１８ｇに沿って一定の方向に節動・回転する。そして、操作レバー１８ｂに対する引っ張り力を開放すると、バネ１８ｃ，１８ｆによって原位置まで上昇・復帰する。以下、操作レバー１８ｂの引っ張り操作毎に回転子１８ｄに回転が付与され、回転接触子１８ｅが１ピッチづつ節動・回転することにより、環形蛍光ランプ及び豆球が適宜に点灯ないし消灯される。
【００１２】
しかしながら、この配線ブロック１７におけるプルスイッチ部１８は、その主要部分がベース体１７ａ及びカバー体１７ｂに対して直角方向となるように構成されている関係で、この配線ブロック１７を器具本体に固定すると、引紐も当然にベース体，カバー体及び器具本体に対して直角方向に導出されることになることから、例えば図１７に示すような防虫形照明器具には適用できない。即ち、その理由は、グローブ１４に引紐を導出するための孔を形成しなければならないために、この孔からグローブ内に虫が侵入して外観状態のみならず、明るさをも損なわれるようになるからである。
【００１３】
かといって、図１７に示す照明器具のように、引紐を器具本体の天井面側を経由して器具周縁部からバネ４を介して垂下するように構成すれば、防虫形照明器具への適用は可能であるものの、プルスイッチ部１８の円滑な引紐操作ができなくなる。又、配線ブロック１７の器具本体への取り付けを９０°回転させた状態にすれば、プルスイッチ部１８の操作性は改善できるものの、配線ブロック１７の器具本体への取り付け高さが高くなり、器具本体のサイズが大きくなり、コストも高くなるという新たな問題が発生する。
【００１４】
それ故に、本発明の目的は、比較的に簡単な構成によって部品間の配線を簡略化できる上、プルスイッチ部のスイッチ操作性を改善できる照明器具の配線ブロック及び照明器具を提供することにある。
【課題を解決するための手段】
【００１５】
従って、本発明は上述の目的を達成するために、絶縁部材よりなるベース体及びカバー体のいずれかにプルスイッチ部，グロースタータ用のグローソケット部，豆球ソケット部を形成すると共に、それぞれの部品間を金属板の打抜加工による回路網にて配線し、かつ回路網の主要部分をベース体及びカバー体にて挟持した配線ブロックであって、前記プルスイッチ部は、少なくとも、ベース体又はカバー体に形成したほぼリング状の鋸歯状部と、所定の角度範囲でバネ力に抗して回転し復帰する操作レバーと、操作レバーに回転力を付与する引紐と、引紐による操作レバーの回転・復帰に基づいて一定方向にのみ節動・回転する回転接触子とから構成し、操作レバーを、ベース体及びカバー体にほぼ平行な面内において回転・復帰するように配置したことを特徴とし、本発明の第２の発明は、前記プルスイッチ部における引紐の導出側及び非導出側に第１及び第２の突出部を一体的に形成し、第１の突出部の端面から引紐を導出すると共に、第２の突出部に取付孔を形成したことを特徴とし、第３の発明は、前記第２の突出部の取付孔を、引紐に作用するプル力のほぼ反対側に形成したことを特徴とする。
【００１６】
又、本発明の第４の発明は、絞り加工によるテーパ部に孔を有する器具本体と、絶縁部材よりなるベース体及びカバー体のいずれかにプルスイッチ部，グロースタータ用のグローソケット部，豆球ソケット部を形成すると共に、それぞれの部品間を金属板の打抜加工による回路網にて配線し、かつ回路網の主要部分をベース体及びカバー体にて挟持した配線ブロックとを具備し、前記配線ブロックのプルスイッチ部を、少なくとも、ベース体又はカバー体に形成したほぼリング状の鋸歯状部と、鋸歯状部にほぼ平行に配置し、かつ所定の角度範囲でバネ力に抗して回転し復帰する操作レバーと、操作レバーに回転力を付与する引紐と、引紐による操作レバーの回転・復帰に基づいて一定方向にのみ節動・回転する回転接触子とから構成し、この配線ブロックを器具本体に、テーパ部に沿って配置すると共に、プルスイッチ部の引紐をテーパ部の孔から天井面側に導出し、かつ周縁部から垂下させたことを特徴とする。
【００１７】
さらに、本発明の第５の発明は、前記配線ブロックのプルスイッチ部における引紐の導出側に第１の突出部を一体的に形成し、この第１の突出部を器具本体におけるテーパ部の孔に挿入し、かつ第１の突出部の端面から引紐を導出したことを特徴とし、第６の発明は、前記配線ブロックにおける引紐の非導出側に取付孔を有する第２の突出部を形成し、この取付孔を利用して配線ブロックを器具本体に固定したことを特徴とし、第７の発明は、前記配線ブロックにおける第２の突出部の取付孔を、引紐に作用するプル力のほぼ反対側に形成し、この取付孔を利用して配線ブロックを器具本体に固定したことを特徴とし、さらに、第８の発明は、前記器具本体の周縁部にほぼＶ字状のバネを支持し、配線ブロックから導出した引紐をバネを介して垂下したことを特徴とする。
【発明の効果】
【００１８】
以上のように本発明によれば、配線ブロックが、ベース体及びカバー体にプルスイッチ部とグローソケット部と豆球ソケット部とが一体的に形成されている上に、それぞれの部品間が金属板の打抜加工による回路網によって接続して構成されているために、それぞれの部品の集合体としてコンパクトに構成できる。従って、コストを有効に低減できるのみならず、器具本体に組み込む際に、手作業による安定器などの部品とのリード線による接続個所を減少できることから、組立作業性を改善できる上、誤配線をも著しく減少できる。
【００１９】
又、配線ブロックのプルスイッチ部において、操作レバー及びこの操作レバーの回転に応じて節動・回転する回転接触子はベース体及びカバー体に対してほぼ平行な面内で回転するように構成されているために、配線ブロックを器具本体に、ベース体及びカバー体がほぼ平行なるように固定した場合、器具本体に沿って導出される引紐にプル力を作用させると、操作レバーが比較的に弱い力で極めて円滑に回転する。従って、引紐操作による蛍光ランプ及び豆球の点灯ないし消灯を自在に切り替えることができる。
【００２０】
特に、配線ブロックに、それの器具本体への固定時に、器具本体の孔に挿入・係合される第１の突出部を一体的に形成し、この第１の突出部の端面からプルスイッチ部の引紐を導出すれば、引紐が金属製の器具本体の孔から離隔されて保護されることになる。従って、引紐をどのように引紐操作しても、引紐が孔のエッジ部分で擦られて切断されることはなく、長期間に亘って安定した品位を維持できるのみならず、コストを有効に低減できる。
【００２１】
その上、配線ブロックにおける第１の突出部の反対側に取付孔を有する第２の突出部を形成し、この配線ブロックを器具本体に、第１の突出部が器具本体の孔に挿入されるように配置した上で、第２の突出部の取付孔に１本のネジを挿入・螺入することによって固定すれば、配線ブロックの器具本体への組み込み作業を簡単に行うことができ、組立作業性を改善できる。
【００２２】
さらには、取付孔をプルスイッチ部の導出孔のほぼ反対側に形成すれば、引紐にプル力が作用した場合に、そのプル力の大部分を取付孔から器具本体に挿入・螺入されたネジに作用させることができる。従って、ネジ止め部分が仮に１個所であっても、安定した取付状態が確保できる。
【発明を実施するための最良の形態】
【００２３】
次に、本発明にかかる天井直付形照明器具の一実施例について図１〜図１４を参照して説明する。尚、図１７〜図２２に示す従来例と同一部分には同一の参照符号を付し、その詳細な説明を省略する。同図において、１Ａは、例えば天井面Ｓに固定された円形状の器具本体であって、それの周縁部分には下側に向けてほぼＬ形に折り曲げた屈曲部１ａが、周縁部を除く適宜の部分には絞り加工によるテーパ部１ｂが、テーパ部１ｂの適宜の部分に孔１ｃｃがそれぞれ形成されている。この孔１ｃｃが開口する側における器具本体１Ａの周縁部分には、例えば天井面側に向けてほぼ半筒状に押し出し加工された一対の係止部２，２が、開口部が対向するように形成されている。この係止部２，２の間には天井面側に向けてほぼコ字状に押し出し加工されたストッパー部３Ａが配置されている。
【００２４】
このストッパー部３Ａは、例えばほぼコ字状に押し出し加工された本体部３Ａａと、本体部３Ａａの頂面部の両側部分（係止部２，２側）に開口するスリット３Ａｂ，３Ａｂとから構成されており、バネ４の係止脚部４ａの長さＬ１と、係止部２とストッパー部３Ａとの間隔Ｌ２と、係止部２とスリット３Ａｂの奥部との間隔Ｌ３との間には、Ｌ２＜Ｌ１＜Ｌ３ の関係に設定されている。尚、バネ４の係止部２，２への取り付けは、バネ４の係止脚部４ａ，４ａを図５の点線のように互いに接近するように変形させた上で、係止脚部４ａ，４ａをスリット３Ａｂ，３Ａｂに挿入し、先端部が係止部２，２の開口部に向き合った位置で変形力を開放すると、係止脚部４ａ，４ａは係止部２，２に挿入・係止され、その後、バネ４を実線位置まで回転させることによって取り付けられる。
【００２５】
又、器具本体１Ａの非天井面側には、テーパ部１ｂに沿った内側部分に第１の安定器ＢＬ１，第２の安定器ＢＬ２，配線ブロック２０が互いに離隔して配置されており、特に、配線ブロック２０は、それより導出される後述の引紐５が孔１ｃｃに対向するように配置されている。この引紐５は孔１ｃｃから天井面側に導出され、ストッパー部３Ａの本体部３Ａａの上を経由してバネ４のリング部４ｂを貫通して垂下されている。
【００２６】
この配線ブロック２０は、例えばナイロン６などの樹脂材よりなるほぼ板状のベース体２１と、ユリア樹脂などの樹脂材よりなるほぼ板状のカバー体２２と、ベース体２１とカバー体２２との間に挟持された金属板を打抜加工してなる回路網２３とから構成されており、ベース体２１及びカバー体２２のほぼ中央部分にはプルスイッチ部２４が、プルスイッチ部２４の両側部分に第１，第２のグローソケット部２５，２６及び豆球ソケット部２７がそれぞれ一体的に設けられている。特に、プルスイッチ部２４の引紐導出側におけるベース体２１及びカバー体２２には第１の突出部２１ａ及び２２ａが、引紐の非導出側におけるベース体２１及びカバー体２２には第２の突出部２１ｂ，２２ｂがそれぞれ一体的に形成されており、第２の突出部２１ｂ，２２ｂには取付孔２８が形成されている。尚、この取付孔２８は、後述する導出孔から導出された引紐に作用するプル力のほぼ反対側部分（プル力の作用点）に形成することが望ましい。
【００２７】
この配線ブロック２０におけるプルスイッチ部２４は、例えばベース体２１の内側（カバー体２２に対向する側）に形成され、鋸歯状の接点部ａ〜ｈを有するリング状の鋸歯状部２９と、鋸歯状部２９の中央部分に形成された凹部３０ａを有する膨出部３０と、少なくとも鋸歯状部２９を囲繞するようにカバー体２２に一体的に形成されたほぼ箱状のケーシング部３１と、凹部３０ａに対応するケーシング部３１に形成された凹部３２ａを有する膨出部３２と、凹部３０ａと凹部３２ａとに挿入・支持された軸３３と、軸３３に挿入され、かつそれを回転中心として一定の角度範囲でベース体２１及びカバー体２２に対してほぼ平行な面内において回転・復帰する操作レバー３４と、この操作レバー３４に固定された導電部材よりなる接触板３５と、鋸歯状の接点部ａ〜ｈに節動・回転によって接触する一対の接触片３６ａ，３６ａを有する回転接触子３６と、一端が例えばケーシング部３１に、他端が接触板３５にそれぞれ接続・固定されたコイル状のバネ３７とから構成されており、鋸歯状の接点部ａ〜ｈの内、接点部ａ，ｃ，ｅ，ｆには回路網２３の適宜の端部が配置されて接点として機能している。尚、凹部３０ａの周辺にも回転接触子３６と軸３３を介して電気的に接続される回路網２３の適宜の端部が配置されている。ケーシング部３１の、第１の突出部側には引紐５を導出するための導出孔３１ａが形成されている。この引紐５の一端は操作レバー３４の自由端に形成された孔３４ａに固定されており、他端は導出孔３１ａから器具本体１Ａの天井面側に導出され、ストッパー部３Ａを経由してバネ４のリング部４ｂを介して垂下されている。
【００２８】
この配線ブロック２０の両端部における回路網２３からは複数のリード線が導出されており、その内、特定のリード線の導出端には環径の異なる第１，第２の環形蛍光ランプ１３ａ，１３ｂのベースに結合される第１，第２のソケットＳＫａ，ＳＫｂが接続されている。又、第２の突出部２１ｂ，２２ｂにおける回路網２３からは複数のリード線が導出されており、その内、２本のリード線の導出端には商用電源に接続するためのソケット（電源プラグ）ＳＫｃが接続されている。この配線ブロック２０は器具本体１Ａに、第１の突出部２１ａ，２２ａがテーパ部１ｂの孔１ｃｃに挿入されるように配置され、第２の突出部２１ｂ，２２ｂの取付孔２８にネジ３８を挿入すると共に器具本体に螺入することによって固定されている。そして、この配線ブロック２０と第１，第２の安定器ＢＬ１，ＢＬ２との電気的な接続は例えば図９に示すように接続されている。
【００２９】
この照明器具における第１，第２の環形蛍光ランプ１３ａ，１３ｂ及び豆球の点灯ないし消灯は、図９及び図１３（ｂ）に示すように行われる。まず、バネ４を介して垂下された引紐５を下方に１回引っ張ると、プルスイッチ部２４の操作レバー３４が一定の角度範囲で回転することに伴って回転接触子３６も１ピッチだけ節動・回転して接触片３６ａ，３６ｂが図１３（ｂ）の実線のように接点部ａ及びｅに接触し、これによって第１，第２の環形蛍光ランプ１３ａ，１３ｂが同時に点灯される。次に、回転接触子３６が１ピッチだけ節動・回転すると、回転接触子３６は図１３（ｂ）の点線のように接点部ｂ及びｆに接触し、第１の環形蛍光ランプ１３ａが消灯し第２の環形蛍光ランプ１３ｂのみが点灯維持される。次いで、１ピッチだけ節動・回転すると、回転接触子３６は図１３（ｂ）の１点鎖線のように接点部ｃ及びｇに接触し、第２の環形蛍光ランプ１３ｂが消灯し豆球（２７）が点灯される。さらに、１ピッチだけ節動・回転すると、回転接触子３６は図１３（ｂ）の２点鎖線のように接点部ｄ及びｈに接触するものの、導電性接点が配置されていないために、豆球（２７）も消灯し全灯が消灯状態に切り替えられる。従って、引紐５の引紐操作によって環形蛍光ランプ１３ａ，１３ｂ及び豆球の点灯ないし消灯が自在に切り替えられる。
【００３０】
この実施例によれば、配線ブロック２０はベース体２１及びカバー体２２にプルスイッチ部２４とグローソケット部２５，２６と豆球ソケット部２７とを一体的に形成されている上に、それぞれの部品間が金属板の打抜加工による回路網２３によって接続されているために、部品のコストを有効に低減できるし、器具本体１Ａに組み込む際に、手作業による安定器などの部品とのリード線による接続個所を減少でき、組立作業性を改善できるのみならず、誤配線をも著しく減少できる。
【００３１】
又、配線ブロック２０のプルスイッチ部２４において、操作レバー３４及びこの操作レバー３４の回転に応じて節動・回転する回転接触子３６はベース体２１及びカバー体２２に対してほぼ平行な面内で回転するために、配線ブロック２０を器具本体１Ａに、ベース体２１及びカバー体２２がほぼ平行なるように固定した場合、器具本体１Ａに沿って導出される引紐５にプル力を作用させると、操作レバー３４が比較的に弱い力で極めて円滑に回転する。従って、引紐操作による環形蛍光ランプ１３ａ，１３ｂ及び豆球（２７）の点灯ないし消灯を自在に切り替えることができる。
【００３２】
特に、配線ブロック２０は器具本体１Ａに、第１の突出部２１ａ，２２ａがテーパ部１ｂの孔１ｃｃに挿入されるように配置されているために、プルスイッチ部２４から導出される引紐５が金属製の器具本体１Ａの孔１ｃｃに接触することなく離隔されて保護されることになる。従って、引紐５をどのように引紐操作しても、引紐５が孔１ｃｃのエッジ部分で擦られて切断されることはなく、長期間に亘って安定した品位を維持できるのみならず、従来のプルスイッチのように金属線よりなる引紐を部分的に使用する必要がなく、すべての部分をナイロンなどの樹脂材にて形成できる関係でコストを有効に低減できる。
【００３３】
しかも、配線ブロック２０を防虫形照明器具に適用した場合に、配線ブロック２０が器具本体１Ａに、第１の突出部２１ａ，２２ａによってテーパ部１ｂの孔１ｃｃが閉塞されるように配置されれば、孔１ｃｃと第１の突出部２１ａ，２２ａとの間に隙間が形成されなくなる。従って、この部分に防虫のためのスポンジなどのパッキングを配置する必要がなくなり、組立作業性のみならず、コストをも低減できる。
【００３４】
さらには、この配線ブロック２０は器具本体１Ａに、第１の突出部２１ａ，２２ａがテーパ部１ｂの孔１ｃｃに挿入されるように配置した上で、第２の突出部２１ｂ，２２ｂの取付孔２８に１本のネジ３８を挿入・螺入することによって固定されているために、配線ブロック２０の器具本体１Ａへの組み込み作業を簡単に行うことができ、組立作業性を改善できる。
【００３５】
特に、取付孔２８はプルスイッチ部２４の導出孔３１ａのほぼ反対側に形成されているために、引紐５にプル力が作用した場合に、そのプル力の大部分が取付孔２８から器具本体１Ａに挿入・螺入されたネジ３８に作用するようになる。従って、ネジ止め部分が仮に１個所であっても、極めて安定した取付状態が確保できる。
【００３６】
その上、ベース体２１の膨出部３０が器具本体１Ａに形成された凹部ないし孔に挿入・係合されているために、ネジ３８による固定効果と相俟って配線ブロック２０の器具本体１Ａへの取付状態の安定性を一層高めることができる。
【００３７】
図１５は本発明にかかる配線ブロックの第２の実施例を示すものであって、基本的には図６〜図１４に示す実施例と同一である。異なる点は、第１の突出部２１ａ，２２ａを省略し、操作レバーから金属線よりなる引紐５Ａを導出したことである。尚、器具本体１Ａへの組み込みに際しては、引紐５Ａの導出端にナイロンなどよりなる引紐５が接続される。
【００３８】
この実施例によれば、器具本体のテーパ部に小さな孔が形成された既存の照明器具に、器具本体に何らの修正・変更を加えることなく、簡単に適用することができる。
【００３９】
図１６は本発明にかかる照明器具の第３の実施例を示すものであって、基本的には図１〜図５に示す実施例と同一である。異なる点は、一対のストッパー部３Ｂ，３ＢがほぼＬ形に切り起こされており、対向部分にスリット３Ｂａが形成されていることである。尚、バネ４の係止脚部４ａの長さに対する係止部２及びストッパー部３Ｂの各部間隔との関係は、図４に示す実施例と同一である。
【００４０】
この実施例によれば、図４〜図５に示す実施例と同様にＶ形バネ４の器具本体１Ａへの支持状態を、係止部２及びストッパー部３Ｂによって安定に維持させることができる。即ち、器具本体１Ａを壁面に、バネ４が水平状態になるように固定した上で、引紐操作によって係止脚部４ａに係止部２から脱却するような力が作用しても、ストッパー部３Ｂ，３Ｂによって脱却が阻止される。従って、どのような取付状態でもプルスイッチ操作を容易に行うことができる。
【００４１】
尚、本発明は何ら上記実施例にのみ制約されることなく、例えば環形蛍光ランプ用の直付形照明器具の他、直管形蛍光ランプ、コンパクト蛍光ランプなどを使用する直付形照明器具にも適用できる。又、器具本体の天井への取り付けは引っ掛けシーリングなどの接続手段を利用する他、ネジなどによって直接的に取り付けることもできるし、器具本体の形態も円形状の他、矩形状，四角以外の多角形状に構成することもできる。又、配線ブロックの形態は器具本体の形態に応じて適宜に変更できるし、器具本体の取付も複数本のネジ，ベース体などに一体的に形成した係止爪などを利用することができる。さらには蛍光ランプベースに結合するソケットに接続されるリード線はベース体及びカバー体の両端部から導出する他、一端のみから導出したり、その外の周縁部から導出したりすることもできる。
【図面の簡単な説明】
【００４２】
【図１】本発明にかかる照明器具の第１の実施例を示すグロ−ブ取り外し状態の側断面図。
【図２】図１のＡ−Ａ矢視図。
【図３】図１のＢ−Ｂ矢視図。
【図４】図２のＣ部拡大図。
【図５】図４のＶ形バネの装着方法を説明するための斜視図。
【図６】本発明にかかる配線ブロックの第１の実施例を示す平面図。
【図７】図６の正面図。
【図８】図６に示す配線ブロックにおけるカバー体を取り外した状態の平面図。
【図９】図６に示す配線ブロックを用いた点灯回路図。
【図１０】図６に示す配線ブロックのプルスイッチ部の横断面図。
【図１１】図１０のＥ−Ｅ断面図。
【図１２】図１１に示すプルスイッチ部の分解状態の側断面図。
【図１３】図１２に示すプルスイッチ部の鋸歯状部の説明図であって、同図（ａ）は平面図、同図（ｂ）は鋸歯状部の展開図。
【図１４】本発明にかかる配線ブロックの器具本体への取付状態を示す要部側断面図。
【図１５】本発明にかかる配線ブロックの第２の実施例を示す平面図。
【図１６】図４に示すＶ形バネの器具本体への他の装着構造を示す図であって、同図（ａ）は平面図、同図（ｂ）は同図（ａ）の側断面図。
【図１７】従来例にかかる照明器具のグロ−ブ取り外し状態の側断面図。
【図１８】図１７のＦ−Ｆ矢視図。
【図１９】図１７のＧ−Ｇ矢視図。
【図２０】図１７のＨ−Ｈ矢視図。
【図２１】従来例にかかる照明器具の点灯回路図。
【図２２】図１９示すグロ−ブの簡易脱着手段の分解斜視図。
【図２３】グロ−ブの器具本体への取り付け方法を説明する図であって、同図（ａ）は取り付け途上の状態を示す要部拡大断面図、同図（ｂ）は取付状態を示す要部拡大断面図。
【図２４】従来の配線ブロックのプルスイッチ部分を示す図であって、同図（ａ）は分解斜視図、同図（ｂ）は組立状態の斜視図。
【符号の説明】
【００４３】
Ｓ  天井
ＢＬ１，ＢＬ２  安定器
ＳＫａ，ＳＫｂ  環形蛍光ランプ用のソケット
ＳＫｃ  電源接続用のソケット
１Ａ  器具本体
１ｂ  テーパ部
１ｃｃ  孔
２  係止部
３Ａ，３Ｂ  ストッパー部
４  バネ
５，５Ａ  引紐
６  簡易脱着手段
１３ａ，１３ｂ  環形蛍光ランプ
１４  透光性グローブ
２０，２０Ａ  配線ブロック
２１  ベース体
２１ａ，２２ａ  第１の突出部
２２  カバー体
２１ｂ，２２ｂ  第２の突出部
２３  回路網
２４  プルスイッチ部
２５，２６  グローソケット部
２７  豆球ソケット部
２８  取付用の孔
２９  鋸歯状部
３０，３２  膨出部
３０ａ，３２ａ  凹部
３１  ケーシング部
３３  軸
３４  操作レバー
３５  接触板
３６  回転接触子
３７  バネ
３８  ネジ
【図１】
2007335415.tif 000003
【図２】
2007335415.tif 000004
【図３】
2007335415.tif 000005
【図４】
2007335415.tif 000006
【図５】
2007335415.tif 000007
【図６】
2007335415.tif 000008
【図７】
2007335415.tif 000009
【図８】
2007335415.tif 000010
【図９】
2007335415.tif 000011
【図１０】
2007335415.tif 000012
【図１１】
2007335415.tif 000013
【図１２】
2007335415.tif 000014
【図１３】
2007335415.tif 000015
【図１４】
2007335415.tif 000016
【図１５】
2007335415.tif 000017
【図１６】
2007335415.tif 000018
【図１７】
2007335415.tif 000019
【図１８】
2007335415.tif 000020
【図１９】
2007335415.tif 000021
【図２０】
2007335415.tif 000022
【図２１】
2007335415.tif 000023
【図２２】
2007335415.tif 000024
【図２３】
2007335415.tif 000025
【図２４】
2007335415.tif 000026